(57)【要約】      （修正有）【課題】外光の影響を防止しつつ、眼鏡を使用する観察者にとっても使用しやすい頭部装着装置もしくは把持装置を提供する。【解決手段】観察者の頭部に装着されて使用される頭部装着装置Ａであって、観察者に対して画像を表示させる表示部１と、頭部装着装置が観察者の頭部に装着された場合に、観察者の眼の周囲を外光に対して遮光する遮光部材２と、を有する。遮光部材２には、観察者の眼窩部において、開口部が形成されていることを特徴とする。【選択図】図６
2017195515.tif 000002
【特許請求の範囲】
【請求項１】
観察者の頭部に装着されて使用される頭部装着装置であって、
前記観察者に対して画像を表示させる表示部と、
前記頭部装着装置が前記観察者の頭部に装着された場合に、前記観察者の眼の周囲を外光に対して遮光する遮光部材と、を有し、
前記遮光部材には、前記観察者の眼窩部において、開口部が形成されていることを特徴とする頭部装着装置。
【請求項２】
前記遮光部材は、弾性部材で形成され、前記頭部装着装置が前記観察者の頭部に装着された場合に、前記観察者の頭部の形状に沿って変形することを特徴とする請求項１に記載の頭部装着装置。
【請求項３】
前記遮光部材は凸部を有し、
前記表示部は凹部を有し、
前記凸部と前記凹部とが勘合することにより、前記遮光部材と前記表示部とは着脱可能に結合されていることを特徴とする請求項１もしくは２のいずれか１項に記載の頭部装着装置。
【請求項４】
前記凹部は、前記表示部のねじの座繰穴であることを特徴とする請求項３に記載の頭部装着装置。
【請求項５】
前記装着を保持する保持部を有し、
前記遮光部材の一部が、前記保持部と前記表示部との間に形成される隙間に、差し込まれることにより前記遮光部材は前記表示部に対して保持されていることを特徴とする請求項１乃至４のいずれか１項に記載の頭部装着装置。
【請求項６】
前記遮光部材は、弾性部材と弾性部材よりも剛性が高いベース部とから形成され、前記ベース部の一部が、前記保持部と前記表示部との間に形成される隙間に差し込まれることにより前記遮光部材は前記表示部に対して保持されていることを特徴とする請求項５に記載の頭部装着装置。
【請求項７】
前記遮光部材は、前記観察者の額部において外側に傾斜して広がり代を有し、
前記観察者の側頭部において内側に傾斜していることを特徴とする請求項１乃至６のいずれか１項に記載の頭部装着装置。
【請求項８】
前記遮光部材は、前記観察者に接触する部分と接触しない部分とでは、傾斜の曲率が異なることを特徴とする請求項７に記載の頭部装着装置。
【請求項９】
前記広がり代の一部は、湾曲した形状であることを特徴とする請求項７もしくは８のいずれか１項に記載の頭部装着装置。
【請求項１０】
前記広がり代の一部は、互いに折り重なる形状であることを特徴とする請求項７もしくは８のいずれか１項に記載の頭部装着装置。
【請求項１１】
前記広がり代の一部は、前記遮光部材の切り込みで形成されていることを特徴とする請求項７もしくは８のいずれか１項に記載の頭部装着装置。
【請求項１２】
前記開口部には、前記観察者の左の側頭部側と右の側頭部側とをつなぐ梁が配設されていることを特徴とする請求項１乃至１１のいずれか１項に記載の頭部装着装置。
【請求項１３】
観察者に把持されて使用される把持装置であって、
前記観察者に対して画像を表示させる表示部と、
前記把持装置が前記観察者に把持された場合に、前記観察者の眼の周囲を外光に対して遮光する遮光部材と、を有し、
前記遮光部材には、前記観察者の眼窩部において、開口部が形成されていることを特徴とする把持装置。
【発明の詳細な説明】
【技術分野】
【０００１】
本発明は、観察者の頭部に装着されて使用される頭部装着装置、および観察者に把持されて使用される把持装置に関する。
【背景技術】
【０００２】
頭部装着装置としては、観察者の頭部に装着されるヘッドマウントディスプレイ（Ｈｅａｄ  Ｍｏｕｎｔｅｄ  Ｄｉｓｐｌａｙ、以下、ＨＭＤとする）がある。ＨＭＤは表示を備えているため、ＨＭＤを装着した観察者は表示部を介して臨場感のある映像を観ることが出来る。同様に、観察者が把持して使用するハンドヘルドディスプレイ（Ｈａｎｄ  Ｈｅｌｄ  Ｄｉｓｐｌａｙ、以下、ＨＨＤとする）もある。
【０００３】
これらは、近年、臨場感のある映像を提供するＶＲ（Ｖｉｒｔｕａｌ  Ｒｅａｌｉｔｙ）技術や、現実世界に仮想世界の映像を違和感なく融合して複合現実感を提供するＭＲ（Ｍｉｘｅｄ  Ｒｅａｌｉｔｙ）技術において用いられている。
【先行技術文献】
【特許文献】
【０００４】
【特許文献１】特開２００１−２２８５０９号公報
【発明の概要】
【発明が解決しようとする課題】
【０００５】
しかしながら、外部環境によっては、観察者と表示部とのすき間から外光が入射することがある。入射した外光は、表示部で表示されている映像のコントラストを低下させるなど、臨場感のある映像提供の妨げになることがある。特許文献１には、外光の入射を防止するための大型のアイカップをファインダーに設けることが開示されている。
【０００６】
外光の入射を防止するためには、特許文献１に開示されているアイカップをＨＭＤやＨＨＤに装着させることが考えられる。しかし、観察者が眼鏡を使用している場合、ＨＭＤの装着時に、アイカップと眼鏡とが接触して、装着がしにくくなることがある。
【０００７】
本発明は、上記課題を鑑みてなされたものであり、外光の影響を防止しつつ、眼鏡を使用する観察者にとっても使用しやすい頭部装着装置もしくは把持装置を提供することを目的としている。
【課題を解決するための手段】
【０００８】
本発明の頭部装着装置は、上記課題を鑑みてなされたものであり、観察者の頭部に装着されて使用される頭部装着装置であって、前記観察者に対して画像を表示させる表示部と、前記頭部装着装置が前記観察者の頭部に装着された場合に、前記観察者の眼の周囲を外光に対して遮光する遮光部材と、を有し、前記遮光部材には、前記観察者の眼窩部において、開口部が形成されていることを特徴とする。
【０００９】
また、本発明の把持装置は、観察者に把持されて使用される把持装置であって、前記観察者に対して画像を表示させる表示部と、前記把持装置が前記観察者に把持された場合に、前記観察者の眼の周囲を外光に対して遮光する遮光部材と、を有し、前記遮光部材には、前記観察者の眼窩部において、開口部が形成されていることを特徴とする。
【発明の効果】
【００１０】
本発明によれば、外光の影響を防止しつつ、眼鏡を使用する観察者にとっても使用しやすい頭部装着装置もしくは把持装置を提供することが出来る。
【図面の簡単な説明】
【００１１】
【図１】第一の実施形態における頭部装着装置Ａの外観図
【図２】頭部装着装置Ａを観察者Ｈが装着した状態を示す図
【図３】観察者から見た表示部１の外観を示す図
【図４】表示部から取り外した遮光部材２の外観を示す図
【図５】遮光部材２の（ａ）正面図、（ｂ）上面図、（ｃ）側面図、（ｄ）下面図
【図６】観察者Ｈと遮光部材２の関係を示す正面図
【図７】観察者Ｈと遮光部材２の関係を示す側面図
【図８】観察者Ｈと遮光部材２の関係を示す下面図
【図９】観察者から見た遮光部材２の外観を示す図
【図１０】遮光部材２の上面図
【図１１】（ａ）遮光部材２を表示部側からみた斜視図および（ｂ）ボス部２３の拡大図
【図１２】（ａ）表示部１の正面図および（ｂ）表示部の表面１１に設けられた穴部１２の断面図および（ｃ）拡大図
【図１３】遮光部材２の構成を示した（ａ）斜視図および（ｂ）拡大図
【図１４】頭部装着装置Ａを斜め下から見た外観斜視図
【図１５】保持部を把持部に付け替えた際の頭部装着装置の斜視図
【図１６】第二の実施形態における遮光部材２の斜視図
【図１７】第三の実施形態における遮光部材２の正面図
【図１８】第四の実施形態における遮光部材２の（ａ）上面図と、（ｂ）断面図
【発明を実施するための形態】
【００１２】
（第一の実施形態）
以下、第一の実施形態について、添付の図面に基づいて詳細に説明する。図１は、第一の実施形態にかかわる頭部装着装置Ａの外観斜視図である。
【００１３】
本実施形態における頭部装着装置Ａは、表示部１と遮光部材２、および着脱可能な保持部５を備える。保持部５によって、表示部１は観察者の顔面に対向して保持される。表示部１の上部からはハーネス４が延びており、パソコン等の映像処理装置（不図示）に接続している。表示部１は、映像処理装置（不図示）から出力された映像信号を、観察者の眼に向けて射出する。
【００１４】
本実施形態の頭部装着装置は、撮影部を備えている。観察者は、視線の先の風景を、撮影部で撮影された映像が表示部で表示されることにより、閲覧する。撮影した画像を、表示するまでの途中の工程で処理すれば、現実の風景に仮想の物体や風景を重ね合わせることができる。例えば、３Ｄデータを表示して設計・デザインを評価する開発用途や、稀な災害に対する訓練用途、エンターテインメント用途に好適である。
【００１５】
図２は、頭部装着装置Ａを観察者Ｈが装着した状態を示す側面図である。表示部１に設けられる遮光部材２は、表示部１から観察者の顔面に向けて延出しており、観察者の眼の周囲を覆うことによって、表示部１と観察者Ｈの間から入射する外光を遮断する。
【００１６】
図３は、表示部１を観察者から見た正面図である。本実施形態においては、頭部装着装置から保持部を取り外すことができる。図３は、保持部が取り外された状態を示している。保持部が取り外された後には、表示部１と保持部を係合する係合部１６が、表示部の表面１１に残る。表示部の表面１１には表示窓１０が設けられ、表示部１の内部にある表示素子（不図示）から射出される映像光が通過する。
【００１７】
遮光部材２は、上面２０、側面２１、下面２２から構成される。上面２０は、表示窓１０および観察者の眼の上部に設けられる。同様に、側面２１は表示窓１０および観察者の眼の側部、下面２２は表示窓１０および観察者の眼の下部に設けられる。遮光部材２はこれら各面を滑らかに接続した曲面からなる。
【００１８】
本実施形態の特徴の一つは、これら遮光部材２をなすそれぞれの面における、観察者の顔面側の端部をなす稜線の形状にある。以下、図４から図８を用いて、遮光部材における稜線形状を詳細に説明する。
【００１９】
図４は、表示部１から取り外した遮光部材２単体の斜視図である。このように、本実施形態では遮光部材２を表示部１から取り外すことができる。着脱の具体的な機構については後述する。
【００２０】
図５は、遮光部材２の（ａ）正面図、（ｂ）上面図、（ｃ）側面図、（ｄ）下面図を示している。（ｂ）上面図、（ｃ）側面図（片側のみ）、（ｄ）下面図で示される投影図が、それぞれ上面２０、側面２１、下面２２と対応する。本実施形態では、上面２０が１面、側面２１が２面、下面２２が２面で構成されている。例えば、遮光部材が左右に分離しており、左右２個使いをする場合、各遮光部材は各面１面ずつの構成となるが、本実施形態の趣旨の範囲内であれば別の構成でもよい。また、上面が１面、側面が２面、下面が１面の構成でもよく、これらは他の実施形態で説明する。
【００２１】
図５における（ｂ）上面図、（ｃ）側面図（片側のみ）、（ｄ）下面図に、観察者の顔面側の端部をなす稜線をそれぞれ２点鎖線で示す。（ｂ）上面図の２点鎖線は、上面２０の顔面側の端部をなす上部稜線２００を示す。（ｃ）側面図（片側のみ）の２点鎖線は、側面２１の顔面側の端部をなす側部稜線２１０を示す。（ｄ）下面図の２点鎖線は、下面２２の顔面側の端部をなす下部稜線２２０を示す。本実施形態では、（ｄ）下面図に着目すると、上部稜線２００の曲率に対して、下部稜線２２０の曲率が小さい。また、上部稜線２００に対して下部稜線２２０の位置が外側になる。更に別の観点では、上面２０に対して、下面２２の投影面積が小さい、という特徴を有する。
【００２２】
また、本実施形態では、上面２０両側面２１、両下面２２いずれも弾性部材から形成されている。少なくとも各稜線は観察者の顔面側の端部をなすことから、弾性部材であることが好ましい。
【００２３】
図６は、観察者Ｈと遮光部材２の関係を示す正面図である。以下、説明のため、遮光部材２を単体で観察者Ｈが装着している図を用いるが、実際は表示部が観察者Ｈの前方に配される。図６を用いて、まず上部稜線２００の形状を説明する。
【００２４】
上部稜線２００は、観察者Ｈの額部に接触する形状をなす。この形状によって、表示部と観察者Ｈの間に上側から入射してくる外光を遮ることが出来る。また、上部稜線２００は観察者Ｈのこめかみ下部Ｔに向かって延び、略半円弧状の曲線をなす。こめかみ下部Ｔでは、観察者Ｈが眼鏡をかけているとき、頭部と眼鏡のツルが接触する。上部稜線２００は、この接触部分まで延びていることが望ましい。これによって、眼鏡のツルによって遮光部材２が、観察者Ｈの側頭部から浮くことを防ぐことができる。したがって、眼鏡をかけた観察者であっても、裸眼の観察者であっても、観察者の側部後方から入射する光を遮ることができる。上部稜線２００は滑らかに、側部稜線に接続する。
【００２５】
尚、観察者の頭部形状はその大きさだけをとっても様々である。したがって上部稜線２００は、少なくとも小さな頭を基準として、あるいは小さな頭を見積もった、略半円弧状とすることが好ましい。なぜなら、小さな頭を想定したとしても、大きな頭の観察者は遮光部材２の各面を押し広げて用いることが可能である。略半円弧形状は、上部稜線２００を半円形状（図５における（ｂ）上面図に示すように円弧の中心角が１８０度）に限定するものではない。１８０度よりも小さくてもよいし、例えば女性や子供のような小さな頭を想定する場合は中心角θが１８０度を超える円弧としてもよい。
【００２６】
続いて、図７は、観察者Ｈと遮光部材２の関係を示す側面図である。図７を用いて、側部稜線２１０の形状を説明する。
【００２７】
側部稜線２１０は、観察者Ｈのこめかみ下部Ｔに接触する形状をなしている。側部稜線２１０は観察者Ｈの頭部に接触した状態で、鉛直下方向（矢印Ｕで示される方向）に延びる略直線部Ｓを有している。この鉛直下方向に延びる略直線部Ｓによって、仮に個人差よって眼鏡のツルＧの位置が図７の上下方向にずれたとしても、前述した眼鏡のツルＧと頭部と眼鏡のツルが接触する部分を、頭部側に確実に抑えることができる。側部稜線２１０はこののち、滑らかに下部稜線に接続する。
【００２８】
図８は、観察者Ｈと遮光部材２の関係を示す下面図である。図８を用いて、下部稜線２２０の形状を説明する。
【００２９】
下部稜線２２０は、観察者Ｈの顔面に接しながら眼窩点ＯＰに向かう。ここで眼窩点ＯＰは、眼窩と呼ばれる眼球が入っている頭蓋骨に空いた穴の下縁のうち、瞳孔直下にある点をいう。（図６参照のこと。図６においては観察者Ｈの瞳孔Ｅ、および眼窩点ＯＰを示している。）この時、下部稜線２２０は観察者Ｈの顔面から前方に離れるように、徐々に方向を変える。そして下部稜線２２０が眼窩点ＯＰに達する前に、観察者Ｈの顔面から完全に離れる。本実施形態においては、そこで稜線が途切れる。つまり、観察者の眼窩部の近傍において、開口部が形成されていることになる。
【００３０】
この下部稜線２２０の形状によって、遮光部材２の下面２２に、観察者Ｈの顔面側が広く、表示部１側が狭い形状の空間が備わる。前述したように、本実施形態では、上部稜線２００の曲率に対して、下部稜線２２０の曲率が小さい。また、上部稜線２００に対して下部稜線２２０の位置が外側になる。更に別の観点では、上面２０に対して、下面２２の投影面積が小さい。これらの特徴を有する下面２２の形状によって、観察者Ｈが眼鏡をかけていた場合でも、遮光部材２に設けた空間は観察者Ｈの顔面側で広いから、眼鏡が引っ掛かりにくいという効果を奏する。ここでの動作は、遮光部材２（を備えた表示部１）を上方、あるいは前方に向けて斜め上方に動かす頭部に対する取り外し動作である。
【００３１】
また、本実施形態では別の効果として、観察者が自身の足下を確認可能な視野を確保できる。ＨＭＤを装着しながら、観察者が歩き回る用途が知られている。この時、遮光部材を用いて周辺視野を完全に覆うと、首を振って足下を確認する動作が余計に生じる。本実施形態では、遮光部材を用いても容易に且つ自然に足下を確認できるから、観察者が歩き回りながら観察する用途に好適である。
【００３２】
更に、本実施形態では別の効果として、遮光部材を使用した際、遮光部材で覆われる顔面部の気密性を下げ、湿気がたまりにくい。湿気がたまると表示部の表示窓が曇る、顔面が蒸れる等の不快さが生じるが、本実施形態においてはこれを軽減する効果を奏する。
【００３３】
続いて、図９に、遮光部材２を観察者から見た正面図を示す。図９を用いて、本実施形態における遮光部材２の上面２０の更なる特徴を説明する。
【００３４】
上部稜線２００は観察者から見て、水平線ＨＬに対して左側湾曲部２００Ｌ、右側湾曲部２００Ｒを有している。すなわち、上面２０は単純な平面と比較して、上にたわんだ部分を左右に有している。同時に、左右両側の側面２１は、表示部側の端部から観察者側の端部に向かって内側に傾斜している。なお上面２０、および側面２１の表示部側の根元においては、眼鏡が入るための十分な領域を有している。
【００３５】
また、図１０は遮光部材２の上面図を示す。両側面２１は前述のように全体として内側に傾斜した形状をなすが、表示部側領域２１Ｄと、観察者側領域２１Ｈでは、傾斜が異なる。本実施形態においては、観察者側領域２１Ｈは、表示部側領域２１Ｄに比べて、傾斜が緩くなっている。また、両側面２１は表示部側領域２１Ｄと、観察者側領域２１Ｈで面の曲率が異なる。本実施形態においては、表示部側領域２１Ｄに比べて、観察者側領域２１Ｈが平らな面となっている。これにより眼鏡のツルの周囲を、平らな面によって側頭部側に抑えることができるため、遮光部材２が眼鏡のツルにならいやすく、遮光部材２の浮きが軽減される。すなわち、眼鏡を着用する観察者に対して側面２１の遮光性能が向上する。
【００３６】
前述のように遮光部材２は観察者の顔面に接触するため、弾性部材が好適である。少なくとも上面２０が弾性部材からなっている場合、前述の湾曲部分（たわんだ部分）が平面に近づくように変形することで、側面２１は観察者から見て外側（図９中の矢印Ｗの方向）に傾くことができる。すなわち、本実施形態における上面２０の湾曲した面は、側面２１が外側（図９中の矢印Ｗの方向）に傾くための広がり代として機能する。
【００３７】
このように湾曲面からなる広がり代を上面２０に設けることによって、湾曲面が平面になるまで、側面２１が外側（図９中の矢印Ｗの方向）に傾く。この動作に必要な力は、弾性部材そのものを伸ばす際にかかる引張力よりも小さい。これによって側面２１が観察者の顔面に向かって内側に傾斜した形状であっても、眼鏡のフレームや眼鏡のツルが側面２１に接触した際、側面２１がそれらを避ける方向に傾きやすく、眼鏡が引っ掛かりにくい効果を奏する。また、頭の大きい観察者にとっては、遮光部材２が顔面に押しつけられた際に、両側面２１が外側（図９中の矢印Ｗの方向）に傾きやすいことによって、側頭部の締め付け感が軽減され、良好な装着感を得ることができる。
【００３８】
続いて図１１は、（ａ）遮光部材２を表示部側からみた斜視図および（ｂ）ボス部（凸部）２３の拡大図を示す。また、図１２は（ａ）表示部１の正面図および（ｂ）表示部の表面１１に設けられた穴部（凹部）１２の断面図および（ｃ）拡大図を示す。図１３は遮光部材２の構成を示した（ａ）斜視図および（ｂ）拡大図を示す。図１４は頭部装着装置Ａに遮光部材２を組み付ける順序を示した外観斜視図を示す。図１１〜図１４を用いて遮光部材の表示部への着脱機構について説明する。
【００３９】
図１１における（ａ）の斜視図に示すボス部２３は、下部稜線２２０の端部に設けられている。図１１（ｂ）の拡大図に示すように、ボス部２３の根元には表示部との当接部２４が設けられる。
【００４０】
図１２（ａ）に示す表示部１には、穴部１２が複数設けられている。この穴部１２は、図１２（ｂ）の断面図に示されるように、表示部１を構成する前側外装１３と顔側外装１４を結合するねじ１５の座繰穴としての機能を有する。また、図１２（ｃ）の穴部１２の拡大図に示すように、一部の穴部１２は長丸穴になっている。また、穴部１２はテーパを有する。
【００４１】
図１３（ａ）に示されるように、本実施形態における遮光部材２は３部品からなる。顔面接触部２５は、観察者の顔に接することで、表示部と観察者の間から入射する光を遮ることを可能にしている。そして顔面接触部２５が表示部に取り付いた際に、その形状を維持するため、ベース部２６が設けられている。ベース部２６は、顔面接触部２５よりも剛性が高い。本実施形態では、ベース部２６は結合部オス２８（３か所）、顔面接触部２５は結合部メス２９（３か所、うち１か所不図示）を有する。図１３（ｂ）の拡大図に示されるように、弾性部材からなる結合部メス２９を広げながら結合部オス２８に勘合させる構成である。さらに、ベース部２６は左右に引掛部３０を有しており、顔面接触部２５を周方向に張って引っ掛けている。これにより顔面接触部２５はベース部２６によって形状が維持される。顔面接触部２５が汚れたとしても、本構成とすることで顔面接触部２５のみを取り外して容易に洗浄することができる。また、ベース部２６は、矢印Ｎの方向とは略垂直の方向に、突起部２７を備えている。
【００４２】
更に、遮光部材２は、遮光補助部材３１を備えている。遮光補助部材３１は、矢印Ｎの方向（観察者の顔面方向）に、ベース部２６に接着されている。遮光補助部材３１は、弾性体からなる。遮光補助部材３１は、表示部の表面１１の形状にならって密着し、表面１１とベース部２６との間から入射する光を遮り、より遮光性能を向上させるために設けられる。
【００４３】
図１４には、頭部装着装置Ａを斜め下から見た外観斜視図を示す。表示部１と保持部５には隙間５０が設けられている。その隙間５０に、ベース部２６に設けられた突起部２７を差し込む。本実施形態においては、表示部１と保持部５は着脱可能な構成であるが、前述の隙間５０があればよいので、表示部１と保持部５が着脱可能でなくてもよい。続いて、表示部１の穴部１２に対して、弾性体からなる遮光部材２のボス部２３を軽圧入することにより、勘合させる。
【００４４】
本実施形態の構成では、軽圧入部が２か所と少ないため、力をかけて押し込む、引き抜く動作が少なくて済み、容易に着脱可能である。また前述のように表示部のねじの座繰穴を用いるから遮光部材２の有無にかかわらず品位が損なわれない。更には、遮光部材２を表示部１から取り外しても、顔面側に突起が残らないから安全である。このように本実施形では観察者が遮光部材の装着の有無を容易に選択することができる。
【００４５】
本実施形における遮光部材２は着脱容易である。同時に、ボス部２３がその表面１１に対し略垂直なため、頭部装着装置Ａの観察者の頭部に対して取り外す際、せん断方向の力に対して安定して固定することができる。ここでの装着動作は、遮光部材２（を備えた表示部１）を上方、あるいは前方に向けて斜め上方に動かす、またその逆方向に動かすものである。さらには、ボス部２３と異なる方向に延びる突起部２７により、せん断方向のみならず、表示部の表面１１に対して引っ張り方向にも安定して固定することができる。
【００４６】
また別の効果として、前述の隙間５０に突起部２７が差し込まれるとき、弾性体からなる遮光補助部材３１が表示部の表面１１に干渉し、変形し、反力を生じる。この反力は突起部２７を通じて、表示部１と保持部５のガタを寄せるように付勢する効果を奏する。
【００４７】
図１５は、保持部を把持部６に付け替えることにより、把持装置として機能する頭部装着装置Ａの斜視図である。観察者は、図１５のように表示部１に把持部６を取付けることができる。この場合、把持部６を両手で把持して表示部１を顔の前で支え、表示窓１０を通じて映像を観察することができる。本実施形における遮光部材２はこのように、頭部に表示部１を固定する用途以外でも、着脱が可能な構成となっている。
【００４８】
（第二の実施形態）
図１６は、第二の実施形態における遮光部材２の斜視図である。前述した第一の実施形態とは異なり、下面２２において観察者の左の側頭部側と右の側頭部側とをつなぐ梁７が配設されている例である。本実施形態では、梁７は顔面接触部２５を支えるベース部２６に設けられる。梁７の厚みは、表示部の表面から、観察者の眼鏡の表面までの距離よりも薄いことが望ましい。そうすると、第一の実施形態と同程度に、眼鏡が遮光部材２の下面２２に引っ掛かり辛くなる。梁７を設けることで、遮光部材２の剛性を更に高くすることができる。本実施形態でも遮光部材２を表示部に固定するためにボス部２３が複数設けられているが、剛性が高いため、遮光部材２を取り外す時に複数のボスを一回の動作で引き抜くことができ、取り外しが容易である。また、表示部の表面に密着する面積が増加するので、固定が安定する。その他の特徴は、第一の実施形態のものと同様であり、説明は省略する。
【００４９】
（第三の実施形態）
図１７は、第三の実施形態における遮光部材２の正面図である。前述した第一の実施形態とは異なり、広がり代が折り重なる形状からなる例である。広がり代として、上面２０において折り目８が左右２か所に設けられている。これによって、両側面２１の矢印Ｗの方向への傾きを第一の実施形態の広がり代に比べて更に稼ぐことができ、頭部装着装置を頭部に対して取り外す際の動作における、遮光部材２の眼鏡のフレームやツルへの引っ掛かりを軽減することができる。例えば、折り目８を増やして蛇腹状の広がり代を設けると、更に大きな眼鏡を用いる観察者にも対応することができる。また、頭の大きい観察者にとっては、側頭部の締め付け感が軽減され、良好な装着感を得ることができる。その他の特徴は、第一の実施形態のものと同様であり、説明は省略する。
【００５０】
（第四の実施形態）
図１８は、第四の実施形態にかかわる遮光部材２の（ａ）上面図と、（ｂ）断面図である。前述した第一の実施形態とは異なり、広がり代が破線で示される切り込み部９０および重なり代９１からなる例である。広がり代として、上面２０において切り込み部９０が左右２か所に設けられている。切り込み部９０のみでも広がり代として機能するものの、遮光機能を補うために重なり代９１が設けられている。図１８の（ｂ）は矢印Ｂの方向に見た遮光部材２の断面図を示す。このように重なり代９１においては、上面２０が二重に重なっている。したがって、両側面２１が外側に広がるのに合わせて切り込み部９０が拡がったとしても、上面２０の遮光性能を保つことができる。すなわち本構成でも、眼鏡のフレームやツルへの引っ掛かりを軽減し、頭の大きい観察者にとっては、側頭部の締め付け感が軽減され、良好な装着感を得ることができる。その他の特徴は、第一の実施形態のものと同様であり、説明は省略する。
【００５１】
以上、本発明の好ましい実施形態について説明したが、本発明はこれらの実施形態に限定されず、その要旨の範囲内で種々の変形及び変更が可能である。
【符号の説明】
【００５２】
１  表示部
２  遮光部材
【図１】
2017195515.tif 000003
【図２】
2017195515.tif 000004
【図３】
2017195515.tif 000005
【図４】
2017195515.tif 000006
【図５】
2017195515.tif 000007
【図６】
2017195515.tif 000008
【図７】
2017195515.tif 000009
【図８】
2017195515.tif 000010
【図９】
2017195515.tif 000011
【図１０】
2017195515.tif 000012
【図１１】
2017195515.tif 000013
【図１２】
2017195515.tif 000014
【図１３】
2017195515.tif 000015
【図１４】
2017195515.tif 000016
【図１５】
2017195515.tif 000017
【図１６】
2017195515.tif 000018
【図１７】
2017195515.tif 000019
【図１８】
2017195515.tif 000020